(57)【特許請求の範囲】
【請求項１】
被写体の画像を連続的に取得する画像取得部と、
前記被写体の輝度を被写体輝度として取得する輝度取得部と、
発光量が可変である照明部と、
前記輝度取得部から前記被写体輝度を取得して、前記被写体輝度が増灯条件を満たせば前記発光量を増加させ、前記被写体輝度が減灯条件を満たせば前記発光量を減少させる増減灯処理を繰り返し実施する制御部と、
を具備し、
前記制御部は、
前記照明部から前記発光量の変更の分解能を取得し、
前記分解能に応じて前記増減灯処理の単位時間当たりの回数を変化させる
ことを特徴とする撮像装置。
【請求項２】
前記増減灯処理は、前記被写体輝度が消灯条件であれば前記照明部を消灯させることをさらに含むことを特徴とする請求項１に記載の撮像装置。
【請求項３】
前記制御部は、
前記照明部から前記発光量の最小値である最小発光量を表す情報を取得し、
前記最小発光量に基づいて前記消灯条件を決定する、
ことを特徴とする請求項２に記載の撮像装置。
【請求項４】
前記制御部は、
第１の所定回数連続して前記被写体輝度が前記増灯条件を満たせば前記発光量を増加させ、
第２の所定回数連続して前記被写体輝度が前記減灯条件を満たせば前記発光量を減少させる、
ことを特徴とする請求項１乃至３のうち何れか１項に記載の撮像装置。
【請求項５】
前記増減灯処理の単位時間当たりの回数は、単位時間当たりに前記画像取得部が前記画像を取得する回数よりも少ないことを特徴とする請求項１乃至４のうち何れか１項に記載の撮像装置。
【請求項６】
前記増灯条件は、前記被写体輝度が増灯閾値より低いことであり、
前記減灯条件は、前記被写体輝度が減灯閾値よりも高いことであり、
前記消灯条件は、前記被写体輝度が消灯閾値よりも高いことであり、
前記減灯閾値は前記増灯閾値よりも高く、前記消灯閾値は前記減灯閾値よりも高い、
ことを特徴とする請求項２又は３に記載の撮像装置。
【請求項７】
前記輝度取得部は、前記画像に基づいて前記被写体輝度を取得することを特徴とする請求項１乃至６のうち何れか１項に記載の撮像装置。
【請求項８】
被写体の画像を連続的に取得することと、
前記被写体の輝度を被写体輝度として取得することと、
前記被写体輝度が増灯条件を満たせば発光量を増加させ、前記被写体輝度が減灯条件を満たせば前記発光量を減少させる増減灯処理を実施することと、
前記発光量の変更の分解能を取得することと、
を具備し、
前記被写体輝度を取得することと前記増減灯処理を実施することとを繰り返し行う際に、前記分解能に応じて前記増減灯処理の単位時間当たりの回数を変化させる
ことを特徴とする撮像のための照明方法。
【発明の詳細な説明】
【技術分野】
【０００１】
本発明は、撮像装置及び撮像のための照明方法に関する。
【背景技術】
【０００２】
被写体の明瞭な動画像を取得するために、被写体が暗い場合にはライトによって被写体に照明光を照射しながら撮影が行われることがある。例えば特許文献１には、ライトの点灯時及び消灯時の急激な発光量変化による撮影画像の悪化を防止するために、所定の発光量となるまでにゆっくりと発光量を増加させながら点灯させたり、ゆっくりと発光量を減少させながら消灯したりする技術が開示されている。
【０００３】
また、特許文献２には、照明光の発光量を適宜調整することに関する技術が開示されている。また、特許文献３には、撮影時の露光の調整において照明光が照射されていない状態における被写体輝度を取得するために、ライトを一時的に消灯し、被写体輝度を取得した後に再びライトを点灯する技術が開示されている。
【先行技術文献】
【特許文献】
【０００４】
【特許文献１】特開平２−２３９７８０号公報
【特許文献２】特開平６−２２２０９号公報
【特許文献３】特開２００６−３１８０００号公報
【発明の概要】
【発明が解決しようとする課題】
【０００５】
照明光の利用時は、この照明光に由来する光とその他の光とを分離できない。したがって、照明の発光量を含む露光条件の設定等のために照明光が無い状態における被写体の輝度を取得しようとすると、上記特許文献３に開示されているように、照明を一時消灯する他ない。しかしながら、動画撮影時に照明を一時消灯すると一連の動画像のうちその時間帯は画像が暗くなってしまい、動画像の質が悪化する。
【０００６】
そこで本発明は、動画像の質を悪化させることなく、照明発光量を適切に制御できる撮像装置及び撮像のための照明方法を提供することを目的とする。
【課題を解決するための手段】
【０００７】
前記目的を果たすため、本発明の一態様によれば、撮像装置は、被写体の画像を連続的に取得する画像取得部と、前記被写体の輝度を被写体輝度として取得する輝度取得部と、発光量が可変である照明部と、前記輝度取得部から前記被写体輝度を取得して、前記被写体輝度が増灯条件を満たせば前記発光量を増加させ、前記被写体輝度が減灯条件を満たせば前記発光量を減少させる増減灯処理を繰り返し実施する制御部と、を具備し、前記制御部は、前記照明部から前記発光量の変更の分解能を取得し、前記分解能に応じて前記増減灯処理の単位時間当たりの回数を変化させることを特徴とする。
【０００８】
また、前記目的を果たすため、本発明の一態様によれば、撮像のための照明方法は、被写体の画像を連続的に取得することと、前記被写体の輝度を被写体輝度として取得することと、前記被写体輝度が増灯条件を満たせば発光量を増加させ、前記被写体輝度が減灯条件を満たせば前記発光量を減少させる増減灯処理を実施することと、前記発光量の変更の分解能を取得することと、を具備し、前記被写体輝度を取得することと前記増減灯処理を実施することとを繰り返し行う際に、前記分解能に応じて前記増減灯処理の単位時間当たりの回数を変化させることを特徴とする。
【発明の効果】
【０００９】
本発明によれば、動画像の質を悪化させることなく、照明発光量を適切に制御できる撮像装置及び撮像のための照明方法を提供できる。
【図面の簡単な説明】
【００１０】
【図１】本発明の各実施形態に係る撮像装置の構成の一例を示すブロック図。
【図２】各実施形態に係るライトユニットの回路構成例を示す図。
【図３】各実施形態に係る撮像装置の動作の一例を示すフローチャート。
【図４】各実施形態に係るライト発光量制御処理の一例を示すフローチャート。
【図５】第１の実施形態に係る調光判断処理の一例を示すフローチャート。
【図６】第１の実施形態に係る輝度判定処理の一例を示すフローチャート。
【図７】各実施形態に係る増灯処理の一例を示すフローチャート。
【図８】各実施形態に係る減灯処理の一例を示すフローチャート。
【図９】第１の実施形態に係る増灯輝度、減灯輝度及び消灯輝度の関係の一例を説明するための図。
【図１０】第１の実施形態に係る消灯輝度の設定の一例について説明するための図。
【図１１】第１の実施形態に係るライト発光量制御処理の一例を示すタイミングチャート。
【図１２】第２の実施形態に係るアンダー量を説明するための図。
【図１３】第２の実施形態に係る増灯アンダー量、減灯アンダー量及び消灯アンダー量の関係の一例を説明するための図。
【図１４】第２の実施形態に係る調光判断処理の一例を示すフローチャート。
【図１５】第２の実施形態に係る輝度判定処理の一例を示すフローチャート。
【図１６】第２の実施形態に係る逆光判定処理の一例を示すフローチャート。
【図１７】第２の実施形態に係る増減判断テーブルの一例を示す図。
【発明を実施するための形態】
【００１１】
［第１の実施形態］
本発明の第１の実施形態について図面を参照して説明する。本実施形態に係る撮影装置の構成の概略を図１に示す。この撮影装置１は、デジタル一眼レフカメラ、デジタルミラーレス一眼カメラ、ビデオカメラ等の動画像撮影を行うことができるカメラである。撮像装置１は、ボディユニット１００と、ボディユニット１００に対して交換可能に取り付けられるレンズ鏡筒を含むレンズユニット２００と、ボディユニット１００に対して着脱自在なライトユニット１８０とを備える。レンズユニット２００は、ボディユニット１００の前面に設けられた不図示のレンズマウントを介して着脱自在である。なお、本実施形態ではレンズユニット２００はボディユニット１００に対して交換可能であるが、これに限らず、ボディユニット１００とレンズユニット２００とは固定されていてもよい。ボディユニット１００には、撮影した画像データを記録するための記録メディア１３１が装着される。ここで、記録メディア１３１は、通信コネクタ１３０を介してボディユニット１００に接続される。
【００１２】
レンズユニット２００は、撮影レンズ２１０ａ及び２１０ｂと、絞り２０３と、レンズ駆動機構２０４と、絞り駆動機構２０２と、レンズ制御用マイクロコンピュータ２０１（以下、Ｌμｃｏｍ２０１と称する）とを備える。Ｌμｃｏｍ２０１は、後述するボディ制御用マイクロコンピュータ１０１（以下、Ｂμｃｏｍ１０１と称する）と、通信コネクタ１６０を介して電気的に接続されており、ボディ制御用マイクロコンピュータ１０１と各種のデータの授受を行う。Ｌμｃｏｍ２０１は、Ｂμｃｏｍ１０１により制御される。Ｌμｃｏｍ２０１は、レンズ駆動機構２０４や絞り駆動機構２０２などの、レンズユニット２００内の各部を駆動制御する。
【００１３】
撮影レンズ２１０ａ及び２１０ｂは、Ｌμｃｏｍ２０１の制御下で、レンズ駆動機構２０４内に備えられている不図示のＤＣモータによって光軸方向に駆動される。絞り２０３は、Ｌμｃｏｍ２０１の制御下で、絞り駆動機構２０２内に備えられている不図示のステッピングモータによって駆動される。
【００１４】
ボディユニット１００は、各部の動作を制御するボディ制御用マイクロコンピュータ１０１（Ｂμｃｏｍ１０１）と、画処理ＩＣ１０２と、顔検出ＩＣ１０３と、ＳＤＲＡＭ（Synchronous Dynamic Random Access Memory）１０４と、輝度取得ＩＣ１０５と、ＲＯＭ１０６と、撮像素子駆動ＩＣ１１０と、撮像素子１１１と、シャッタユニット１２０と、シャッタ制御駆動回路１２１と、通信コネクタ１３０と、液晶モニタ１４０と、カメラ操作スイッチ１５０と、通信コネクタ１６０とを有する。
【００１５】
Ｂμｃｏｍ１０１は、カメラの全体の動作を制御する制御手段、計数手段、モード設定手段、検出手段、判定手段、演算手段等の機能を有している。Ｂμｃｏｍ１０１は、通信コネクタ１６０を介してＬμｃｏｍ２０１と接続している。また、Ｂμｃｏｍ１０１は、シャッタ制御駆動回路１２１、画処理ＩＣ１０２、顔検出ＩＣ１０３、ＳＤＲＡＭ１０４、輝度取得ＩＣ１０５、ＲＯＭ１０６、カメラ操作スイッチ１５０、ライトユニット１８０、及び図示されていない電源に接続されている。この電源は、図示されていない電池を含み、電源回路を介して電池電圧をカメラの各ユニットが必要とする電圧に変換して、各ユニットに電力を供給する。ＲＯＭ１０６は、Ｂμｃｏｍ１０１等で用いられるプログラムその他の情報を記憶している。Ｂμｃｏｍ１０１は、ＲＯＭ１０６から読み出したプログラム等に基づいて処理を実行する。
【００１６】
シャッタユニット１２０は、レンズユニット２００から入射する光束の光軸上に設けられた、例えばフォーカルプレーン式のシャッタユニットである。シャッタ制御駆動回路１２１は、Ｂμｃｏｍ１０１に接続され、Ｂμｃｏｍ１０１の制御下でシャッタユニット１２０を駆動する。シャッタ制御駆動回路１２１は、シャッタユニット１２０における不図示の先幕と後幕との動きを制御すると共に、Ｂμｃｏｍ１０１との間で、シャッタの開閉動作を制御する信号と先幕の走行完了時の信号の授受とを行う。
【００１７】
撮像素子１１１は、レンズユニット２００から入射する光束の光軸上の、シャッタユニット１２０の後方に設けられている。レンズユニット２００内の撮影レンズ２１０ａ及び２１０ｂ、並びに絞り２０３を通過した光束は、撮像素子１１１に結像される。撮像素子１１１は、結像された被写体像を光電変換して、アナログ電気信号を生成する。撮像素子１１１は、撮像素子駆動ＩＣ１１０により光電変換制御される。撮像素子１１１により生成されたアナログ電気信号は、撮像素子駆動ＩＣ１１０により、画処理ＩＣ１０２が処理するためのデジタル電気信号に変換され、画処理ＩＣ１０２に出力される。画処理ＩＣ１０２は、撮像素子駆動ＩＣ１１０から入力されたデジタル電気信号を画像信号に変換する等の画像処理を行う。
【００１８】
画処理ＩＣ１０２は、Ｂμｃｏｍ１０１の他、顔検出ＩＣ１０３、ＳＤＲＡＭ１０４、輝度取得ＩＣ１０５、通信コネクタ１３０、及び液晶モニタ１４０に接続されている。画処理ＩＣ１０２は、画像処理において、記憶領域として設けられたＳＤＲＡＭ１０４に一時記憶したり、一時記憶したデータを読み出したりする。画処理ＩＣ１０２は、Ｂμｃｏｍ１０１の制御下で、通信コネクタ１３０を介して、作成した画像信号を記録メディア１３１に記録する。記録メディア１３１は、各種の半導体メモリカードや外付けのハードディスクドライブ（ＨＤＤ）等の外部記録媒体である。記録メディア１３１は、通信コネクタ１３０を介してボディユニット１００と通信可能、且つ交換可能に装着される。また、画処理ＩＣ１０２は、Ｂμｃｏｍ１０１の制御下で、作成した画像信号を液晶モニタ１４０に出力し、液晶モニタ１４０に画像を表示させる。なお、液晶モニタ１４０は、液晶ディスプレイに限らず、例えば有機ＥＬディスプレイ等他のディスプレイに置き換えられ得る。液晶モニタ１４０は、画処理ＩＣ１０２で作成された画像信号に基づく画像を表示する他、カメラの動作状態を表示出力によってユーザ（撮影者）へ告知する。また、画処理ＩＣ１０２は、顔検出ＩＣ１０３に顔検出処理を行わせるため、作成した画像信号を顔検出ＩＣ１０３に出力する。このように、画処理ＩＣ１０２を中心に、電子撮像機能と共に電子記録表示機能が実現されている。
【００１９】
輝度取得ＩＣ１０５は、画処理ＩＣ１０２から画像を取得し、被写体の輝度を算出する。この被写体輝度は、Ｂμｃｏｍ１０１に出力される。Ｂμｃｏｍ１０１は、被写体輝度に基づいて、露出条件を決定し、レンズユニット２００や、シャッタ制御駆動回路１２１等を駆動して、露出調整を行う。また、Ｂμｃｏｍ１０１は、被写体輝度に基づいて、ライトユニット１８０の動作を制御する。
【００２０】
Ｂμｃｏｍ１０１には、カメラ操作スイッチ１５０が接続されている。カメラ操作スイッチ１５０は、例えば撮影動作の実行を指示するレリーズボタン、撮影モードを連写モードや通常撮影モードなどに切り替えるモード変更スイッチ、電源のオン・オフを切り替えるパワースイッチなど、ユーザがカメラを操作するために必要な操作ボタン（操作手段）を含む。ユーザによる操作が入力されたとき、カメラ操作スイッチ１５０からＢμｃｏｍ１０１に信号が入力される。
【００２１】
ライトユニット１８０は、ムービーライト１８１と、電流制限回路１８２と、ライト制御用マイクロコンピュータ１８３（以下、ライト制御用μｃｏｍ１８３と称する）と、ライト用通信コネクタ１８５とを備える。ムービーライト１８１は、例えばＬＥＤを含む。ムービーライト１８１は、入力される電流に応じて発光量を変化させる。電流制限回路１８２は、ムービーライト１８１に入力する電流を調整する。電流制限回路１８２は、例えばトランジスタやパルス幅変調（ＰＷＭ）等、公知の技術を用いて実現される。ライト用通信コネクタ１８５は、ボディユニット１００のＢμｃｏｍ１０１とライト制御用μｃｏｍ１８３とを接続する。ライト制御用μｃｏｍ１８３は、Ｂμｃｏｍ１０１の制御の下、ムービーライト１８１の動作を制御する。ライトユニット１８０の回路は、例えば図２のように表され得る。ライトユニット１８０は、ボディユニット１００と着脱自在でもよいし、ボディユニット１００に固定されていてもよい。ムービーライト１８１にはＬＥＤ以外の他の光源が用いられてもよい。
【００２２】
撮像装置１の動作について図面を参照して説明する。まず、撮影動作について説明する。シャッタ制御駆動回路１２１は、Ｂμｃｏｍ１０１からシャッタを駆動制御するための信号を受け取るとシャッタユニット１２０を制御してシャッタに開閉動作を行わせる。また、その際、ライト制御用マイクロコンピュータ１８３は、ライト用通信コネクタ１８５を介してＢμｃｏｍ１０１からムービーライト１８１を制御するための信号を受け取ると、電流制限回路１８２を制御してムービーライト１８１を点灯させる。
【００２３】
撮影レンズ２１０ａ及び２１０ｂからの光束は撮像素子１１１へと導かれる。Ｂμｃｏｍ１０１の制御の下、撮像素子１１１で光電変換され撮像素子駆動ＩＣ１１０で変換され生成されたデジタル電気信号は、画処理ＩＣ１０２に入力される。画処理ＩＣ１０２は、撮像素子駆動ＩＣ１１０から入力されたデジタル電気信号を一時保存用メモリであるＳＤＲＡＭ１０４に保存する。ＳＤＲＡＭ１０４は、画処理ＩＣ１０２が画像処理のためにワークエリアとしても使用される。
【００２４】
画処理ＩＣ１０２は、デジタル電気信号を画像信号に変換する。また、画像信号が静止画であれば、画処理ＩＣ１０２は、この画像信号を例えばＪＰＥＧデータに変換する画像処理を行う。画像信号が動画であれば、画処理ＩＣ１０２は、この画像信号をムービーファイルに変換する。動画撮影においては、例えば１秒当たり６０枚程度の割合で連続的に露光が行われる。画処理ＩＣ１０２は、ＪＰＥＧデータやムービーファイルを記録メディア１３１に記録させる。
【００２５】
次に、ライブビュー動作について説明する。撮影レンズ２１０ａ及び２１０ｂからの光束は撮像素子１１１へと導かれる。撮像素子１１１では例えば１秒当たり６０枚程度の割合で連続的に露光が行われ、撮像素子駆動ＩＣ１１０で画像データが生成される。画処理ＩＣ１０２は、この画像データをビデオ信号に変換する。画処理ＩＣ１０２は、ビデオ信号を液晶モニタ１４０に与えることで、被写体の動画像を液晶モニタ１４０に表示させる。このような表示は「ライブビュー」と呼ばれており、周知の技術を用いて行われる。なお、液晶モニタ１４０での画像データのライブビュー表示をこのカメラで行わせるには、ユーザが上述したカメラ操作スイッチ１５０の中のモード変更スイッチを操作して、ライブビューモードを選択すればよい。なお、以降では、ライブビューを「ＬＶ」と略すこともある。
【００２６】
ＬＶ動作時には、撮影レンズ２１０ａ及び２１０ｂからの光束は常に撮像素子１１１へと導かれている。画処理ＩＣ１０２は、画像データに基づいて、被写体に対する周知の測距処理を行う。以降、画像データに基づいて画処理ＩＣ１０２及びＢμｃｏｍ１０１により行われる被写体に対する測距及び自動合焦の処理を、「ＬＶＡＦ」と称することとする。また、画処理ＩＣ１０２は、画像データを輝度取得ＩＣ１０５に出力する。輝度取得ＩＣ１０５は、被写体の明るさを取得する測光処理を行う。以降、輝度取得ＩＣ１０５により行われる被写体の明るさの測光処理を「ＬＶ測光」と称する。
【００２７】
次に動画記録についての図３に示すフローチャートを参照して説明する。ボディユニット１００の電源がＯＮのとき、Ｂμｃｏｍ１０１は、ステップＳ１０１において装着されたレンズユニット２００の認識及び装着されたライトユニット１８０の認識が行われたか否かを判定する。レンズユニット２００及びライトユニット１８０の認識が行われていないとき、認識が行われるまで、Ｂμｃｏｍ１０１はステップＳ１０１の処理を繰り返す。
【００２８】
レンズユニット２００及びライトユニット１８０の認識が行われたとき、Ｂμｃｏｍ１０１は、ステップＳ１０２において通信コネクタ１６０を介してレンズユニット２００の情報を取得し、また、Ｌμｃｏｍ２０１にレンズユニット２００のレンズ位置や絞りの駆動指示を伝える。また、Ｂμｃｏｍ１０１は、ライト用通信コネクタ１８５を介してライトユニット１８０の情報を取得し、ライト制御用マイクロコンピュータ１８３に発光量の指示を伝える。
【００２９】
Ｂμｃｏｍ１０１は、ステップＳ１０３においてライブビュー動作を開始する。すなわち、Ｂμｃｏｍ１０１は、例えば輝度変化に応じて、絞り、シャッタ秒時、感度、ライト発光量等の制御を行う。本実施形態に係るムービーライト１８１の発光量の制御については図４乃至図１１を参照して後述する。
【００３０】
Ｂμｃｏｍ１０１は、ステップＳ１０４においてレリーズボタンが押圧されたか否かを判定する。レリーズボタンが押圧されるまで、Ｂμｃｏｍ１０１は、ステップＳ１０４の判定を繰り返し、ライブビュー動作を継続する。レリーズボタンが押圧されたら、Ｂμｃｏｍ１０１は、ステップＳ１０５において、ライブビューで得られた画像を画処理ＩＣ１０２に処理させ、記録メディア１３１にデータの記録を開始させる。
【００３１】
Ｂμｃｏｍ１０１は、ステップＳ１０６において露出制御を行う。この露出制御では、ステップＳ１０３と同様に、被写体の輝度に応じて、絞り、シャッタ秒時、感度、ライト発光量が制御される。本実施形態に係るムービーライト１８１の発光量制御については図４乃至図１１を参照して後述する。
【００３２】
Ｂμｃｏｍ１０１は、ステップＳ１０７においてレリーズボタンが押圧されたか否かを判定する。レリーズボタンが押圧されるまで、Ｂμｃｏｍ１０１は、ステップＳ１０６の露出制御を繰り返し、動画撮影を継続する。レリーズボタンが押圧されたら、Ｂμｃｏｍ１０１は、ステップＳ１０８において、記録完了処理を実行し、得られた動画像を記録メディア１３１に動画ファイルとして記録させて動画記録を終了する。Ｂμｃｏｍ１０１は、液晶モニタ１４０に動画記録を停止したことを表示させる。その後処理は、ステップＳ１０１に戻る。その結果、ステップＳ１０３においてライブビュー動作が再び開始される。なお、ここに示した動作は、ステップＳ１０３やステップＳ１０６で行われるライト発光量制御処理を除き、一般的なカメラの動画記録動作である。
【００３３】
露出制御処理における本実施形態に係るライト発光量制御を、図４乃至１１を参照して説明する。まず、ライト発光制御のメインフローについて図４を参照して説明する。図４に示す処理は、例えばフレームレートである１／６０秒ごとに行われる。
【００３４】
Ｂμｃｏｍ１０１は、ステップＳ２０１において被写体の輝度を取得する。Ｂμｃｏｍ１０１は、ステップＳ２０２において発光量変更タイミングか否かを判定する。ここで、発光量変更タイミングの周期は、ライトユニット１８０の特性に応じて決定される。本実施形態では、ライトユニット１８０は、調光分解能が１／３段、すなわち、１／３段のステップで発光量を変更できるものとし、これに基づき発光量変更タイミングの周期は、例えば３３３ｍｓ（１／３秒）と決められるものとする。ライトユニット１８０がボディユニット１００に対して着脱可能であり、様々な性能を有する種々のライトユニット１８０が用いられる場合、ライトユニット１８０毎に調光分解能がＢμｃｏｍ１０１に伝達される。Ｂμｃｏｍ１０１は、ライトユニット１８０の調光分解能に応じて、発光量変化の速度が所定の値となるように発光量変更タイミングの周期を設定する。
【００３５】
例えば、ライトユニット１８０が所定の光量変化を実行でき、すなわち所定の調光分解能を有しており、変化速度が１秒間にα段であるように発光量を変更する場合には、光量変更タイミングの周期は次式によって求められる。  
「調光分解能（段数）」×「α（段）」＝「光量変更タイミングの周期（秒）」
すなわち、α段が１の場合には、調光分解能が１／３段の場合は光量変更タイミングの周期が０．３３３秒、調光分解能が１／４段の場合は光量変更タイミングの周期が０．２５秒、調光分解能が１／８段の場合は光量変更タイミングの周期が０．１２５秒となる。
【００３６】
ステップＳ２０２の判定において発光量変更タイミングでないと判定されたとき、処理は露出制御処理に戻る。一方、発光量変更タイミングであると判定されたとき、処理はステップＳ２０３に進む。すなわち、本実施形態では、ライト発光制御処理は２０フレームに１回の割合でステップＳ２０３に進む。Ｂμｃｏｍ１０１は、ステップＳ２０３において変数「増減灯処理」が負であるか否かを判定する。ここで、変数「増減灯処理」は、後述するように、ムービーライト１８１の発光量を増加させるときは「１」が設定され、発光量を減少させるときは「−１」が設定される変数である。負でないと判定されたとき、Ｂμｃｏｍ１０１は、ステップＳ２０４において変数「増減灯処理」が正であるか否かを判定する。正でないと判定されたとき、Ｂμｃｏｍ１０１は、ステップＳ２０５において後述する調光判断処理を実行する。その後処理は露出制御処理に戻る。ステップＳ２０４の判定において変数「増減灯処理」が正であると判定されたとき、Ｂμｃｏｍ１０１は、ステップＳ２０６において後述する増灯処理を実行する。その後処理は露出制御処理に戻る。ステップＳ２０３の判定において変数「増減灯処理」が負であると判定されたとき、Ｂμｃｏｍ１０１は、ステップＳ２０７において後述する減灯処理を実行する。その後処理は露出制御処理に戻る。
【００３７】
ステップＳ２０５で実行される調光判断処理を、図５に示すフローチャートを参照して説明する。Ｂμｃｏｍ１０１は、ステップＳ３０１において輝度判定処理を実行する。その後、処理はライト発光量制御処理に戻る。ステップＳ３０１で実行される輝度判定処理を、図６に示すフローチャートを参照して説明する。Ｂμｃｏｍ１０１は、ステップＳ４０１において輝度取得ＩＣ１０５が取得した被写体輝度は増灯輝度以下であるか否かを判定する。増灯輝度以下であると判定されたとき、Ｂμｃｏｍ１０１は、ステップＳ４０２において変数「点灯カウンタ」を１増加させる。ただし、「点灯カウンタ」は最大で６とし、６よりは増加させない。その後処理はステップＳ４０６に進む。
【００３８】
ステップＳ４０１の判定で被写体輝度が増灯輝度以下でないと判定されたとき、Ｂμｃｏｍ１０１は、ステップＳ４０３において被写体輝度は減灯輝度以上であるか否かを判定する。減灯輝度以上であると判定されたとき、Ｂμｃｏｍ１０１は、ステップＳ４０４において変数「点灯カウンタ」を１減少させる。ただし、「点灯カウンタ」は最小で−６とし、−６よりは減少させない。その後処理はステップＳ４０６に進む。ステップＳ４０３の判定で被写体輝度が減灯輝度以上でないと判定されたとき、Ｂμｃｏｍ１０１は、ステップＳ４０５において変数「点灯カウンタ」を０にする。その後、処理はステップＳ４０６に進む。
【００３９】
Ｂμｃｏｍ１０１は、ステップＳ４０６において点灯カウンタが６以上であるか否かを判定する。点灯カウンタが６以上であると判定されたとき、Ｂμｃｏｍ１０１は、ステップＳ４０７において変数「増減灯処理」を１に設定する。その後、処理は調光判断処理に戻る。ステップＳ４０６の判定で点灯カウンタが６以上でないと判定されたとき、Ｂμｃｏｍ１０１は、ステップＳ４０８において点灯カウンタが−６以下であるか否かを判定する。点灯カウンタが−６以下であると判定されたとき、Ｂμｃｏｍ１０１は、ステップＳ４０９において変数「増減灯処理」を−１に設定する。その後、処理は調光判断処理に戻る。ステップＳ４０８の判定で点灯カウンタが−６以下でないと判定されたとき、処理は調光判断処理に戻る。
【００４０】
ここで、図６を参照して説明したように、点灯カウンタが６以上になったとき、すなわち、６サイクル連続で被写体輝度が増灯輝度以下となったとき、ムービーライト１８１の発光量は増加させられる。一方、点灯カウンタが−６以下になったとき、すなわち、６サイクル連続で被写体輝度が減灯輝度以上となったとき、ムービーライト１８１の発光量は減少させられる。このように、点灯カウンタを用いることで、被写体輝度の瞬間的な変化によってムービーライト１８１の発光量が細かく変化させられることが防止されている。なお、ムービーライト１８１を増減灯させるか否かの判定に用いる点灯カウンタの６又は−６はもちろん一例であり、その他の数でもよい。また、増灯の判定と減灯の判定とで用いる値の絶対値は異なる値としてもよい。これらの値を調整することで増灯又は減灯についての動作の感度が調整され得る。
【００４１】
ステップＳ２０６で実行される増灯処理を、図７に示すフローチャートを参照して説明する。Ｂμｃｏｍ１０１は、ステップＳ５０１において被写体輝度は増灯輝度以上であるか否かを判定する。増灯輝度以上であると判定されたとき、Ｂμｃｏｍ１０１は、ステップＳ５０２において変数「増減灯処理」を０に設定する。その後、処理はライト発光量制御処理に戻る。
【００４２】
ステップＳ５０１の判定で、被写体輝度が増灯輝度以上でないと判定されたとき、Ｂμｃｏｍ１０１は、ステップＳ５０１においてムービーライト１８１の発光量は最大発光量であるか否かを判定する。最大発光量でないと判定されたとき、Ｂμｃｏｍ１０１は、ステップＳ５０４においてムービーライト１８１の発光量を１ステップ分増加させるように、ライト制御用マイクロコンピュータ１８３に指示を出力する。その後、処理はライト発光量制御処理に戻る。ステップＳ５０３の判定で、最大発光量であると判定されたとき、Ｂμｃｏｍ１０１は、ステップＳ５０５において変数「増減灯処理」を０に設定する。その後、処理はライト発光量制御処理に戻る。
【００４３】
ステップＳ２０７で実行される減灯処理を、図８に示すフローチャートを参照して説明する。Ｂμｃｏｍ１０１は、ステップＳ６０１において被写体輝度は減灯輝度以下であるか否かを判定する。減灯輝度以下であると判定されたとき、Ｂμｃｏｍ１０１は、ステップＳ６０２において変数「増減灯処理」を０に設定する。その後、処理はライト発光量制御処理に戻る。
【００４４】
ステップＳ６０１の判定で、被写体輝度が減灯輝度以下でないと判定されたとき、Ｂμｃｏｍ１０１は、ステップＳ６０３においてムービーライト１８１の発光量は最小発光量であるか否かを判定する。最小発光量でないと判定されたとき、Ｂμｃｏｍ１０１は、ステップＳ６０４においてムービーライト１８１の発光量を１ステップ分減少させるように、ライト制御用マイクロコンピュータ１８３に指示を出力する。その後、処理はライト発光量制御処理に戻る。ステップＳ６０３の判定で、最小発光量であると判定されたとき、Ｂμｃｏｍ１０１は、ステップＳ６０５において被写体輝度は消灯輝度以上であるか否かを判定する。消灯輝度以上でないと判定されたとき、処理はライト発光量制御処理に戻る。消灯輝度以上であると判定されたとき、Ｂμｃｏｍ１０１は、ステップＳ６０６においてムービーライト１８１を消灯させる。Ｂμｃｏｍ１０１は、ステップＳ６０７において変数「増減灯処理」を０に設定する。その後、処理はライト発光量制御処理に戻る。
【００４５】
ここで、図７及び図８に示すように、被写体輝度が増灯輝度（点灯輝度）より低ければムービーライト１８１は点灯させられ又はその発光量が増加させられ、減灯輝度より高ければムービーライト１８１の発光量が減少させられ、さらに消灯輝度より高ければムービーライト１８１は消灯させられる。ここで、増灯輝度（点灯輝度）、減灯輝度及び消灯輝度の関係を図９に示す。この図に示すように、増灯輝度と減灯輝度とには、所定の輝度差が設けられており、増灯の判断のための閾値と減灯の判断のための閾値とが異なる。すなわち、調光制御においてヒステリシスが設けられている。同様に、点灯輝度と消灯輝度とには、所定の輝度差が設けられており、点灯の判断のための閾値と消灯の判断のための閾値とが異なる。すなわち、調光制御においてヒステリシスが設けられている。同様に、減灯輝度と消灯輝度とには、所定の輝度差が設けられており、減灯の判断のための閾値と消灯の判断のための閾値とが異なる。すなわち、調光制御においてヒステリシスが設けられている。これらヒステリシスによって、ムービーライト１８１の発光量の増加と減少とが頻繁に繰り返されたり、点灯と消灯とが頻繁に繰り返されたりすることが防止される。なお、増灯輝度と減灯輝度との差は、ムービーライト１８１の調光分解能よりも大きい。
【００４６】
減灯輝度と別に消灯輝度が設けられているのは、次の理由による。最大発光量と最小発光量との間は、上述の通り光量１ステップ分ずつ変化させられる。これに対して、最小発光量と消灯との間の光量差は１ステップ分よりも大きい。したがって、例えば被写体が近くにあるとき、ムービーライト１８１を最小発光量で点灯しているときと消灯しているときとで被写体輝度が大きく異なり、点灯と消灯とが繰り返される恐れがある。そこで、本実施形態では、被写体が近くにある最悪の条件においても点灯と消灯とが繰り返されないように消灯輝度が設定されている。
【００４７】
消灯輝度は、例えば以下のように設定される。すなわち、ムービーライト１８１の最小発光量に基づいて定められる。ムービーライト１８１の最大発光量が距離１ｍにおいて１００Ｌｕｘであった場合を例に挙げて説明する。このようなムービーライト１８１の最大発光量は、ムービーライト１８１に記憶されている。被写体は反射率が１００％の最悪の場合を想定する。このムービーライト１８１を最大発光量で用いたときこの被写体が１ｍの距離に存在する場合、撮像装置１によって求まるＢＶ（Brightness Value）は３と算出される。ここで、被写体が最も接近した最悪条件を想定する。すなわち、例えば、被写体までの距離が１２．５ｃｍの場合を想定する。距離が半分になると換算ＢＶ値は＋２段となるので、距離が１ｍから１２．５ｃｍになるとき＋６段となる。したがって、距離１２．５ｃｍの場合、換算ＢＶ値は９となる。
【００４８】
このムービーライト１８１の最小発光量が最大発光量の１／１６であったとする。このようなムービーライト１８１の光量比も、ムービーライト１８１に記憶されている。最小発光量では最大発光量の−４段となる。したがって、最小発光量において１２．５ｃｍに位置する反射率が１００％の被写体の換算ＢＶ値は５となる。本実施形態では、例えばこのＢＶ値５を消灯輝度として用いる。このように最悪条件における換算ＢＶ値を消灯輝度として用いることで、点灯と消灯とが繰り返されることを防止できる。
【００４９】
上記の例では、被写体との距離が１２．５ｃｍのときを最悪の条件としたが、この距離は、例えばレンズの最短合焦距離としてもよいし、撮像装置１に装着され得るレンズの最短合焦距離のうち最も短い最短合焦距離を用いてもよいし、オートフォーカス（ＡＦ）動作において算出された合焦距離としてもよい。
【００５０】
また、消灯輝度の設定にあたっては、レンズユニット２００による画角と、ライトユニット１８０の照射角とが考慮されてもよい。図１０を参照して詳しく説明する。レンズユニット２００による画角３１１と、ライトユニット１８０の照射角３１２が交わる交点３１３のカメラボディ側の範囲を照明不可範囲とする。照明不可範囲が前記最短合焦距離よりも長ければ、前記最短合焦距離をこの照明不可範囲に置き換えることによって消灯輝度を低くしても良い。
【００５１】
なお、増灯輝度は、例えば、絞り値（ＡＶ）を開放とし、シャッタ速度（ＴＶ）を動画撮影において設定可能な最長時間とし、撮像素子１１１の感度（ＳＶ）を最高感度としたときにＢＶ＝ＡＶ＋ＴＶ−ＳＶで算出されるＢＶ値とすることができる。同様に、減灯輝度は、例えば、絞り値（ＡＶ）を開放とし、シャッタ速度（ＴＶ）を動画撮影において設定可能な最長時間（例えば、１秒間のフレームレートが６０ｆｐｓの場合、シャッタ露光時間の最長時間は１／６０秒となり、ＴＶ値では“６”となる）とし、撮像素子１１１の感度（ＳＶ）を最低感度としたときに算出されるＢＶ値とすることができる。また、これらの値に、以下の分だけ調整を加えてもよい。すなわち、被写界深度が浅くならないように絞りを開放とせずに所定の値としてもよいし、減灯輝度を計算するとき、高速シャッタ速に由来する動画のパラパラ感が気にならない速度までシャッタ速を早くしてもよい。例えば、フレームレートが６０ｆｐｓの場合、「動画設定可能最長時間」の半分〜１／４（ＴＶ値で７〜８に置き換えても良い）程度ならパラパラ感が気にならない。このような調整をして得られたＢＶ値が、増灯輝度や減灯輝度として用いられ得る。
【００５２】
本実施形態による動作のタイミングチャートを図１１に示す。この図において上段は被写体輝度を示し、下段はムービーライト１８１の発光量、すなわちムービーライト１８１に入力される電流量を示す。この図に示す例において初めはムービーライト１８１が消灯しているものとする。被写体輝度が増灯輝度を下回ってから３３３ｍｓの６周期分すなわち２秒経過すると、ムービーライト１８１はまず最小発光量で発光する。その後、被写体輝度が増灯輝度を下回っている間は、調光分解能（１／３段）の１ステップ分ずつ発光量が増加し、増灯輝度を超えたら発光量の増加は止まる。
【００５３】
さらに被写体輝度が上昇し、減灯輝度を超えてから３３３ｍｓの６周期分すなわち２秒経過すると、被写体輝度が減灯輝度を上回っている間は、調光分解能（１／３段）の１ステップ分ずつ発光量が減少する。ここで、被写体輝度が減灯輝度を上回っていても消灯輝度未満であれば、ムービーライト１８１の発光量は最小輝度までしか減少させられない。そして、被写体輝度が消灯輝度を上回ったら、ムービーライト１８１は消灯させられる。
【００５４】
このように、例えば撮像素子１１１は、被写体の画像を連続的に取得する画像取得部として機能する。例えば輝度取得ＩＣ１０５は、被写体の輝度を被写体輝度として取得する輝度取得部として機能する。例えばライトユニット１８０は、発光量が可変である照明部として機能する。例えばＢμｃｏｍ１０１は、被写体輝度を取得し、被写体輝度が増灯条件を満たせば発光量を増加させ、被写体輝度が減灯条件を満たせば発光量を減少させる増減灯処理を繰り返し実施する制御部として機能する。
【００５５】
本実施形態によれば、ムービーライト１８１の光も含むその時点の被写体輝度に応じてムービーライト１８１の発光量が調整されるので、適切な光量下で動画撮影が行われ得る。本実施形態によれば、ムービーライト１８１が消灯されている場合の被写体輝度が不明であってもムービーライト１８１の発光量が適切に調整され得る。この際、露出条件の決定のためにムービーライト１８１が消灯されることもないので、動画像の質が悪化することもない。
【００５６】
本実施形態では、ライト発光量制御処理における発光量の調整は３３３ｍｓごとに行われる。この周期は、上述の通りライトユニット１８０の調光分解能に応じて決められている。ここで、ライトユニット１８０の調光分解能に応じて発光量変更動作の周期が決められることで、単位時間当たりの発光量変化量、すなわち発光量変化速度が、ライトユニット１８０の特性に関わらず一定となる。この速度が取得される動画において最も見栄えがいい値に設定されることで、発光量変化について違和感なく見栄えのいい動画が取得され得る。
【００５７】
なお、本実施形態では輝度取得ＩＣ１０５は、撮像された画像に基づいて被写体輝度を算出している。しかしながら、これに限らない。例えば、ボディユニット１００に露出計が別途設けられ、この露出計の出力に基づいて被写体輝度が算出されてもよい。なお、本実施形態のように取得された画像に基づいて絞り値及びシャッタスピード等の露光条件が決定される撮像装置の場合、ライトユニット１８０の発光量の調整にも画像に基づいて算出された被写体輝度が利用されることで、装置の構成が単純化され得る。
【００５８】
［第２の実施形態］
本発明の第２の実施形態について説明する。ここでは、第１の実施形態との相違点について説明し、同一の部分については、同一の符号を付してその説明を省略する。本実施形態では、顔検出ＩＣ１０３で検出された顔の部分の輝度を用いて逆光が生じている否かが判定され、この逆光の判定と第１の実施形態と同様に求めた被写体輝度とに基づいてムービーライト１８１の増灯及び減灯が制御される。
【００５９】
本実施形態では、例えば図１２に示すような画像において、顔検出ＩＣ１０３が顔３０１を検出する。Ｂμｃｏｍ１０１は、顔の輝度と全体の輝度とを用いて、例えば、「アンダー量」＝「顔の輝度」−「全体の輝度」から求まるアンダー量に基づいて変数「逆光増減判定」を決定する。
【００６０】
例えば図１３に示すように、主要被写体すなわち顔のアンダー量に対して、増灯アンダー量、減灯アンダー量、消灯アンダー量が設定されている。アンダー量が増灯アンダー量以下であれば変数「逆光増減判定」には「１」が設定され、アンダー量が減灯アンダー量以上であれば変数「逆光増減判定」には「−１」が設定される。また、本実施形態では、消灯輝度は、顔の輝度に基づいて設定される。
【００６１】
本実施形態に係るライト発光量制御処理は、図４を参照して説明した第１の実施形態に係るライト発光量制御処理と同様である。本実施形態に係る調光判断処理について図１４を参照して説明する。Ｂμｃｏｍ１０１は、ステップＳ７０１において輝度判定処理を実行する。
【００６２】
輝度判定処理について図１５を参照して説明する。この輝度判定処理は、図６を参照して説明した輝度判定処理と同様であり、変数「増減灯処理」の代わりに変数「輝度増減判定」が設定される。図１５に示すように、ステップＳ８０１乃至ステップＳ８０９は、それぞれ図６を参照して説明した輝度判定処理のステップＳ４０１乃至ステップＳ４０９に相当する。
【００６３】
すなわち、Ｂμｃｏｍ１０１は、ステップＳ８０１において被写体輝度は増灯輝度以下であるか否かを判定し、増灯輝度以下であると判定されたとき、ステップＳ８０２において変数「点灯カウンタ」を１増加させる。その後処理はステップＳ８０６に進む。ステップＳ８０１の判定で被写体輝度が増灯輝度以下でないと判定されたとき、Ｂμｃｏｍ１０１は、ステップＳ８０３において被写体輝度は減灯輝度以上であるか否かを判定し、減灯輝度以上であると判定されたとき、ステップＳ８０４において変数「点灯カウンタ」を１減少させる。その後処理はステップＳ８０６に進む。ステップＳ８０３の判定で被写体輝度が減灯輝度以上でないと判定されたとき、Ｂμｃｏｍ１０１は、ステップＳ８０５において変数「点灯カウンタ」を０にする。その後、処理はステップＳ８０６に進む。
【００６４】
Ｂμｃｏｍ１０１は、ステップＳ８０６において点灯カウンタが６以上であるか否かを判定し、点灯カウンタが６以上であると判定されたとき、ステップＳ８０７において変数「輝度増減判定」を１に設定する。その後、処理は調光判断処理に戻る。ステップＳ８０６の判定で点灯カウンタが６以上でないと判定されたとき、Ｂμｃｏｍ１０１は、ステップＳ８０８において点灯カウンタが−６以下であるか否かを判定し、点灯カウンタが−６以下であると判定されたとき、ステップＳ８０９において変数「輝度増減判定」を−１に設定する。その後、処理は調光判断処理に戻る。ステップＳ８０８の判定で点灯カウンタが−６以下でないと判定されたとき、処理は調光判断処理に戻る。
【００６５】
図１４に示す調光判断処理に戻って説明を続ける。輝度判定処理に続いて、Ｂμｃｏｍ１０１は、ステップＳ７０２において逆光判定処理を行う。逆光判定処理を図１６に示すフローチャートを参照して説明する。Ｂμｃｏｍ１０１は、ステップＳ９０１においてアンダー量は増灯アンダー量以下であるか否かを判定する。増灯アンダー量以下であると判定されたとき、Ｂμｃｏｍ１０１は、ステップＳ９０２において変数「逆光カウンタ」を１増加させる。ただし、「逆光カウンタ」は最大で６とし、６よりは増加させない。その後処理はステップＳ９０６に進む。
【００６６】
ステップＳ９０１の判定でアンダー量が増灯アンダー量以下でないと判定されたとき、Ｂμｃｏｍ１０１は、ステップＳ９０３においてアンダー量は減灯アンダー量以上であるか否かを判定する。減灯アンダー量以上であると判定されたとき、Ｂμｃｏｍ１０１は、ステップＳ９０４において変数「逆光カウンタ」を１減少させる。ただし、「逆光カウンタ」は最小で−６とし、−６よりは減少させない。その後処理はステップＳ９０６に進む。ステップＳ９０３の判定でアンダー量が減灯アンダー量以上でないと判定されたとき、Ｂμｃｏｍ１０１は、ステップＳ９０５において変数「点灯カウンタ」を０にする。その後、処理はステップＳ９０６に進む。
【００６７】
Ｂμｃｏｍ１０１は、ステップＳ９０６において逆光カウンタが６以上であるか否かを判定する。逆光カウンタが６以上であると判定されたとき、Ｂμｃｏｍ１０１は、ステップＳ９０７において変数「逆光増減判定」を１に設定する。その後、処理は調光判断処理に戻る。ステップＳ９０６の判定で逆光カウンタが６以上でないと判定されたとき、Ｂμｃｏｍ１０１は、ステップＳ９０８において逆光カウンタが−６以下であるか否かを判定する。逆光カウンタが−６以下であると判定されたとき、Ｂμｃｏｍ１０１は、ステップＳ９０９において変数「逆光増減判定」を−１に設定する。その後、処理は調光判断処理に戻る。ステップＳ９０８の判定で逆光カウンタが−６以下でないと判定されたとき、処理は調光判断処理に戻る。
【００６８】
このように、逆光カウンタが６以上になったとき、すなわち、６サイクル連続でアンダー量が増灯アンダー量以下となったとき、変数「逆光増減判定」に１が設定され、６サイクル連続でアンダー量が減灯アンダー量以上となったとき、変数「逆光増減判定」に−１が設定される。
【００６９】
図１４に示す調光判断処理に戻って説明を続ける。逆光判定処理に続いて、Ｂμｃｏｍ１０１は、ステップＳ７０３において増減判断処理を実行する。増減判断処理では、Ｂμｃｏｍ１０１は、ＲＯＭ１０６に記憶された図１７に示すような増減判断テーブルを参照して、輝度判定処理で決定された変数「輝度増減判定」の値と、逆光判定処理で決定された変数「逆光増減判定」の値とに基づき、変数「増減灯処理」の値を決定する。本実施形態では、図１７に示すように、変数「輝度増減判定」の値と変数「逆光増減判定」の値とのうち何れか一方に増灯を表す１が設定されていれば、変数「増減灯処理」の値を増灯を表す１に設定する。それ以外の場合において、変数「輝度増減判定」の値と変数「逆光増減判定」の値とのうち何れか一方に減灯を表す−１が設定されていれば、変数「増減灯処理」の値を減灯を表す−１に設定する。変数「輝度増減判定」の値と変数「逆光増減判定」の値とが共に増灯も減灯もしない０が設定されていれば、変数「増減灯処理」の値を発光量維持を表す０に設定する。
【００７０】
増減判断処理が終了したら、処理は図４を参照して説明したライト発光量制御処理に戻る。変数「増減灯処理」の値に基づいて、図７を参照して説明した増灯処理や、図８を参照して説明した減灯処理が行われ、ムービーライト１８１の発光量が調整される。
【００７１】
本実施形態によれば、第１の実施形態の場合の効果に加えて、被写体の顔が検出され、この顔の輝度が適正となるようにムービーライト１８１の発光量が調整され得る。
【００７２】
なお、本実施形態では、被写体の顔を基準として逆光判定処理が行われている。しかしながら、これに限らない。顔以外の部分を注目被写体とし、その注目被写体について逆光判定処理が行われ得る。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。さらに、異なる実施形態にわたる構成要素を適宜組み合わせてもよい。
【符号の説明】
【００７４】
１００…ボディユニット、１０１…ボディ制御用マイクロコンピュータ、１０２…画処理ＩＣ、１０３…顔検出ＩＣ、１０４…ＳＤＲＡＭ、１０５…輝度取得ＩＣ、１１０…撮像素子駆動ＩＣ、１１１…撮像素子、１２０…シャッタユニット、１２１…シャッタ制御駆動回路、１３０…通信コネクタ、１３１…記録メディア、１４０…液晶モニタ、１５０…カメラ操作スイッチ、１６０…通信コネクタ、１８０…ライトユニット、１８１…ムービーライト、１８２…電流制限回路、１８３…ライト制御用マイクロコンピュータ、１８５…ライト用通信コネクタ、２００…レンズユニット、２０１…レンズ制御用マイクロコンピュータ、２０２…絞り駆動機構、２０３…絞り、２０４…レンズ駆動機構、２１０ａ、２１０ｂ…撮影レンズ。
【図１】
0005901323.tif 000002
【図２】
0005901323.tif 000003
【図３】
0005901323.tif 000004
【図４】
0005901323.tif 000005
【図５】
0005901323.tif 000006
【図６】
0005901323.tif 000007
【図７】
0005901323.tif 000008
【図８】
0005901323.tif 000009
【図９】
0005901323.tif 000010
【図１０】
0005901323.tif 000011
【図１１】
0005901323.tif 000012
【図１２】
0005901323.tif 000013
【図１３】
0005901323.tif 000014
【図１４】
0005901323.tif 000015
【図１５】
0005901323.tif 000016
【図１６】
0005901323.tif 000017
【図１７】
0005901323.tif 000018